(57)【要約】  食品自動販売機（１）は、取出すための食品を収容するケーシング（２）と、支払いインターフェイス（６）を有する支払いユニット（４）と、ケーシング（２）に形成された食品ピックアップコンパートメント（１０）を有する食品ディスペンサーユニット（５）とを有し、且つ、ケーシング（２）に、支払いインターフェース（６）及び食品ピックアップコンパートメント（１０）にそれぞれ隣接して配置された第１光エミッター（１２）及び第２光エミッター（１３）と、第１光エミッター（１２）及び第２光エミッター（１３）を、各々支払いインターフェース（６）及び/又は食品ピックアップコンパートメント（１０）に関して、使用者によって行われるべき特定の操作を表示する少なくとも３つの異なる光信号モードに、選択的に制御するための電子制御手段（１４）とを有する、インタラクティブ光装置（１１）を有する。【選択図】図１
2011521337.tif 000002
【特許請求の範囲】
【請求項１】
取出すための食品を収容するケーシング（２）と、前記ケーシング（２）の壁（２a）に支払いインターフェイス（６）を設けた支払いユニット（４）と、前記壁（２a）に形成された食品ピックアップコンパートメント（１０）を含む食品ディスペンサーユニット（５）とを含む食品自動販売機（１）において、使用者の注意を、前記食品を選択し/入手するために行われるべき操作に視覚的に集中させるためのインタラクティブ光装置（１１）を含み、インタラクティブ光装置（１１）は：
ケーシング（２）の前記壁（２a）に、前記支払いインターフェース（６）及び前記食品ピックアップコンパートメント（１０）にそれぞれ隣接して配置された第１光エミッター（１２）及び第２光エミッター（１３）と、
第１光エミッター（１２）及び第２光エミッター（１３）を、各々、前記支払いインターフェース（６）及び/又は前記食品ピックアップコンパートメント（１０）に関して、使用者によって行われるべき特定の操作を各々表示する少なくとも３つの異なる光信号モードで、選択的に制御するための電子制御手段（１４）とを含むことを特徴とする、食品自動販売機。
【請求項２】
前記ケーシング（２）の前記壁（２a）に形成された、釣銭を使用者に出すための、外側釣銭収集ポケット（１６）と、前記外側釣銭収集ポケット（１６）に隣接して前記壁（２a）に配置された第３光エミッター（１８）と、を含む釣銭ディスペンサーユニット（１５）を含み、前記電子制御手段（１４）は、前記第３光エミッター（１８）を、各々、前記外側釣銭収集ポケット（１６）に関して使用者によって行われるべき特定の操作を表示する前記３つの光信号モードで選択的に制御する、請求項１に記載の前記食品自動販売機。
【請求項３】
前記ケーシング（２）の前記壁（２a）に配置され、且つ、多数の食品選択及び/又は事前選択ボタン（２０）及び、前記ボタン（２０）に隣接した補助光信号手段（２１）を含む食品選択使用者インターフェース（１９）を含み、前記電子制御手段（１４）は、前記補助光信号手段（２１）を、各々前記食品選択使用者インターフェース（１９）に関して使用者によって行われるべき特定の操作を表示する前記３つの光信号モードで選択的に制御する、請求項１及び２に記載の前記食品自動販売機。
【請求項４】
前記電子制御手段（１４）は、前記第１光エミッター（１２）及び/又は前記第２光エミッター（１３）及び/又は前記第３光エミッター（１８）のモードを、前記食品を選択し/獲得するために使用者によって行われるべき順序正しい連続の操作と関連した予め定められた手順で、選択的に命令する、請求項２及び３に記載の前記食品自動販売機。
【請求項５】
前記第１光エミッター（１２）及び/又は前記第２光エミッター（１３）及び/又は前記第３光エミッター（１８）及び/又は前記補助光信号手段（２１）は、各々少なくとも１つの発光ダイオードからなる、請求項１乃至４のいずれか１項に記載の前記食品自動販売機。
【請求項６】
前記３つの光信号モードは、前記使用者によって行われるべき特定の行動がないことに対応する第１モードと、前記自動販売機（１）によって行われる特定の行動に対応する第２モードと、警告状態に対応する第３モードとを含む、請求項１乃至５のいずれか１項に記載の前記食品自動販売機。
【請求項７】
前記第３光信号モードは、光信号の閃光モードである、請求項６に記載の前記食品自動販売機。
【請求項８】
取出すための食品を収容するケーシング（２）と、前記ケーシング（２）の壁（２a）に支払いインターフェース（６）を有する支払いユニット（４）と、前記壁（２a）に形成された食品ピックアップコンパートメント（１０）を有する食品ディスペンサーユニット（５）とを含む、食品自動販売機（１）を操作する方法において、
前記方法は、前記自動販売機（１）が、前記ケーシング（２）の前記壁（２a）に、前記支払いインターフェース（６）及び前記食品ピックアップコンパートメント（１０）にそれぞれ隣接して配置された、少なくとも第１光エミッター（１２）及び第２光エミッター（１３）を有するインタラクティブ光装置（１１）を含み、
第１光エミッター（１２）及び第２光エミッター（１３）を、各々、前記支払いインターフェース（６）及び/又は前記食品ピックアップコンパートメント（１０）に関して使用者によって行われるべき特定の操作を表示する少なくとも３つの異なった光信号モードで選択的に制御するステップを含むことを特徴とする、前記方法。
【請求項９】
前記ケーシング（２）の前記壁（２a）に形成された外側釣銭収集ポケット（１６）と、前記壁（２a）に前記外側釣銭収集ポケット（１６）に隣接して配置された第３光エミッター（１８）と、を含む釣銭ディスペンサーユニット（１５）を含み、前記方法は、前記第３光エミッター（１８）を、各々、前記外側釣銭収集ポケット（１６）に関して使用者によって行われるべき特定の操作を表示する３つの光信号モードで選択的に制御するステップを含む、請求項８に記載の方法。
【請求項１０】
前記自動販売機は、前記ケーシング（２）の前記壁（２a）に配置され、且つ、各々対応する食品と関連した多数の事前選択/選択ボタン（２０）と、前記ボタン（２０）に隣接した補助光信号手段（２１）とを含む、食品選択使用者インターフェース（１９）を含み、前記方法は、前記補助光信号手段（２１）を、各々、前記食品選択使用者インターフェース（１９）に関して使用者によって行われるべき特定の操作を表示する、前記３つの光信号モードで選択的に制御するステップを含む、請求項９に記載の前記方法。
【請求項１１】
前記第１光エミッター（１２）及び/又は前記第２光エミッター（１３）及び/又は前記第３光エミッター（１８）の光信号モードを、前記食品を選択し/獲得するために使用者によって行われるべき順序正しい連続の操作と関連した予め定められた手順で選択的に命令するステップを含む、請求項１０に記載の前記方法。
【請求項１２】
前記３つの光信号モードは、前記使用者によって行われるべき特定の行動がないことに対応する第１モードと、前記自動販売機（１）によって行われる特定の行動に対応する第２モードと、警告状態に対応する第３モードとを含む、請求項８乃至１１のいずれか１項に記載の前記方法。
【請求項１３】
前記第３光信号モードは、光信号の閃光モードに対応する、請求項１２に記載の前記方法。
【請求項１４】
食品自動販売機（１）の電子制御手段（１４）のメモリにロード可能であり、実行されるとき、請求項８乃至１３のいずれか１項に記載の前記方法を実行するように設計された、ソフトウェア製品。
【発明の詳細な説明】
【技術分野】
【０００１】
本発明は、使用者の注意を、食品を選択し/獲得するために使用者によって行われるべき操作に集中させるためのインタラクティブ光装置を有する食品自動販売機に関する。
【０００２】
特に、本発明は、飲料、スナック、或いは同様の物のような販売用の食品を収容するケーシングと、ケーシングの可視壁に支払いインターフェースを設けた支払いユニットと、同じ壁に食品ピックアップコンパートメントを設けた食品取出しユニットとを含むタイプの自動販売機に関する。
【背景技術】
【０００３】
上記タイプの自動販売機の操作は、所望の食品を獲得するために、使用者の側で種々の命令/操作を要求する。
簡単且つ数が少ないが、行われるべき操作が、操作手順が常に明らかではない年配者或いは子供のような特定のタイプの使用者には、問題を提起することがある。
【０００４】
その上、上記タイプの自動販売機の使用者は、しばしば、操作手順のために混乱されるので、使用者は釣銭を自動販売機の外側釣銭ポケットから収集することを怠る。
【発明の概要】
【０００５】
本発明の目的は、使用者の注意を、食品を選択し/獲得するために行われるべき操作に視覚的に集中させるように設計された自動販売機を提供することにある。
【０００６】
本発明によれば、請求項１に及び必ずではないが、好ましくは、従属する請求項のいずれか１つに記載されるような自動販売機を提供する。
【０００７】
また、本発明によれば、請求項８に及び必ずではないが、好ましくは、従属する請求項のいずれか１項に記載されるような食品自動販売機を操作する方法を提供する。
【０００８】
また、本発明によれば、請求項１４に記載されるようなソフトウェア製品を、提供する。
【０００９】
本発明の非限定的な実施形態を、添付図面を参照して、例示として記載する。
【図面の簡単な説明】
【００１０】
【図１】明瞭さのために拡大した本発明の教示による食品自動販売機の概略正面図を示す。
【図２】図１の自動販売機を操作する方法の操作フローチャートを示す。
【発明を実施するための形態】
【００１１】
図１の参照番号１は、使用者の注意を、自動販売機１から所定の食品を得るために使用者によって実行されるべき操作に集中させる光信号を発生させるように設計された食品自動販売機を全体として示す。
【００１２】
自動販売機１は、おおむね、あたたかい又は冷たい飲料、ソフトドリンク、スナック或いは類似の食品のような、取出すための食品製品を収容するケーシング２と、所定の食品を選択するための電子使用者選択ユニット３と、選択された食品の所定の金額を支払うための使用者支払いユニット４と、選択された食品を使用者に取出すためのディスペンサーユニット５とを含む。
【００１３】
支払いユニット４は、ケーシング２の可視壁２aに配置された支払いインターフェース６を含み、支払いインターフェース６は、コインを挿入するためのスロット７及び/又はメモリキー及び/又はカードリーダー８を有する。
【００１４】
ディスペンサーユニット５は、ケーシング２の壁２aに形成されたピックアップコンパートメント１０を含むデリバリーインターフェース９を含み、使用者は、自動販売機１からの選択した食品をピックアップコンパートメント１０から収集する。
【００１５】
自動販売機１は、また、予め決定された手順の光信号を、自動販売機１の種々の所定の領域/箇所で発生させ、使用者の注意を、食品を選択し/獲得するために自動販売機１に使用者によって行われるべき操作に視覚的に集中させるように設計されたインタラクティブ光装置１１を含む。
【００１６】
より具体的には、インタラクティブ光装置１１は、ケーシング２の壁２aに、支払いインターフェース６及びピックアップコンパートメント１０にそれぞれ隣接して配置された第１及び第２光エミッター１２、１３と、各々、支払いインターフェース６及び/又はピックアップコンパートメント１０に関して、使用者によって行われるべき特定の操作を表示する、少なくとも３つの異なる光信号モードで、第１及び第２光エミッター１２、１３を選択的に制御する電子制御ユニット１４とを実質的に含む。
【００１７】
図１の例示では、コンパートメント１０は、必ずではないが、好ましくは、長方形の開口を含み、第２光エミッター１３は、開口の頂縁のすぐ上でこれに隣接して壁２aの外面に、都合よく配置される。
【００１８】
図１の例では、第１光エミッター１２は、スロット７とリーダー８の間で壁２aの外面に都合よく配置される。
【００１９】
自動販売機１は、また、ケーシング２の壁２aに形成された外側使用者釣銭収集ポケット１６を含む電気機械的釣銭ユニット１５を含む。
【００２０】
インタラクティブ光装置１１は、また、ケーシング２の壁２aに、外側釣銭収集ポケット１６に隣接して配置された第３光エミッター１８を含む。
【００２１】
図１の例では、ポケット１６は、必ずではないが、好ましくは、長方形の開口を含み、第３光エミッター１８は、開口の頂縁のすぐ上で、ケーシング２の壁２aの外面に、都合よく配置される。
【００２２】
電子制御ユニット１４は、第３光エミッター１８を、各々釣銭収集ポケット１６について特定の使用者の操作と各々関連した３つの光信号モードで選択的に制御する。
【００２３】
電子選択ユニット３は、ケーシング２の壁２aに配置され、且つ、食品を自動販売機１から選択する事前選択操作又は選択操作に各々関する、多数のボタン２０を含む、食品選択使用者インターフェース１９と、選択ボタン２０に隣接して壁２aに配置された多数の補助表示光源２１とを含む。
【００２４】
図１の例では、補助光源２１及び第１、第２、第３光エミッター１２、１３、１８は各々、少なくとも１つの発光ダイオード（ＬＥＤ）と、発光ダイオードによって発せられた光を散乱させる、壁２aの外面に固定された透明/半透明材料の長方形パネルと、発光ダイオードを３つの異なる光信号モードで選択的に制御するように設計された電気制御回路（図示せず）とを含む。
【００２５】
１つの可能な実施形態では、補助光源２１及び/又は第１光エミッター１２及び/又は第２光エミッター１３及び/又は第３光エミッター１８は、それぞれ、白熱灯或いは蛍光灯及び/又はいかなる他のタイプのランプ或いは光信号を発することのできる同様の電気/電子装置を含んでもよいことを指摘すべきである。
【００２６】
より具体的には、３つの光信号モードは、”停止状態”、すなわち、使用者によって行われるべき特定の操作がない状態、に対応する第１発光ダイオード”オフ”モードと、自動販売機１によって行われる特定の操作を表示する”操作状態”に対応する第２発光ダイオード”オン”モードと、使用者によって行われるべき特定の操作を表示する”警告状態”に対応する第３発光ダイオード”閃光”モードとを含む。
【００２７】
自動販売機１のインタラクティブ光装置１１の１つの実行可能な操作方法を、図２を参照して記述する。下述の本操作方法での操作が、電子制御ユニット１４のメモリモジュールに含まれるソフトウェアプログラムに含まれるのがよいことを指摘すべきである。言い換えれば、ソフトウェアプログラムは、自動販売機１のインタラクティブ光装置１１の本操作方法を実行する電子制御ユニット１４によって実行されてもよい。
【００２８】
始めに、電子制御ユニット１４が、自動販売機１の操作状態を確認し（ブロック１００）、そして、自動販売機が故障している或いは食品を取出すことができない場合には、第１、第２及び第３光エミッター１２、１３、１８及び補助光源２１はオフに設定される（ブロック１１０）。
【００２９】
逆に、自動販売機１が作動していることを確認するとき、電子制御ユニット１４は、第２及び第３光エミッター１３、１８がオフに設定される待機状態に切り替え、同時に、第１光エミッター１２は、使用者の注意を支払いインターフェース６に引き付ける閃光モードに設定される（ブロック１２０）。
【００３０】
図示した例では、この段階で、支払いインターフェース６の第１光エミッター１２によって発生された閃光光信号は、行われるべき特定の操作が支払い操作であることを、使用者に都合よく知らせる。この段階で、電子制御ユニット１４は、必ずではないが、使用者インターフェース１９の全ての補助光源２１をオンに設定するのが好ましいことを指摘すべきである。
【００３１】
この時点で、電子制御ユニット１４が、使用者インターフェース１９の食品選択操作を確認する（ブロック１３０）。
【００３２】
使用者の側で操作がない場合には、電子制御ユニット１４は、第１、第２及び第３光エミッター１２、１３、１８をブロック１２０におけると同じモードにしたままにするのに対して、もし事前選択ボタンが使用者によって押されたことが分かったならば（ブロック１４０）、電子制御ユニット１４は、押された事前選択ボタン２０の光源２１を閃光モードに設定し、同時に全ての他の光源２１を前と同じモードにしたままにする。
【００３３】
この時点で、電子制御ユニット１４は、選択ボタンの待機未決定操作に切り替える(ブロック１５０)。もし他の事前選択ボタンが押されるならば、方法は、ブロック１４０操作を再び実行し、これに対して、もし選択ボタンが押されるならば、電子制御ユニット１４は事前選択ボタン光源２１をオンにし、押された選択ボタン光源２１をオンのままにし、さらに、全ての他の光源２１をオフにする（ブロック１６０）。
【００３４】
もし選択ボタン２０の使用者操作がブロック１３０で確認されるならば、電子制御ユニット１４は押された選択ボタン２０の光源２１をオンのままにし、同時に他の光源２１をオフにする（ブロック１７０）。
【００３５】
この時点で、選択された食品の価格に基づいて、電子制御ユニット１４は、支払いインターフェース６での使用者による支払いが選択された食品の価格を超えるか否かを確認する（ブロック１８０）。
【００３６】
もし使用者による支払いが選択された食品の価格よりも少なければ（ブロック１８０のＮＯ出力）、電子制御ユニット１４は、第１光エミッター１２を閃光モードのままにして、使用者に支払い操作に集中させ続け、もし使用者による支払いが選択された食品の価格を超える或いは等しければ（ブロック１８０のＹＥＳ出力）、電子制御ユニット１４は、第１光エミッター１２をオフにし、且つ第２光エミッター１３をオンにして選択された食品が自動販売機１によって分配されていることを使用者に知らせる（ブロック１９０）。この段階で、電子制御ユニット１４は、第３光エミッター１８をオフのままにし、電気機械ユニット１５による釣銭作成作業のないことを表示する。
【００３７】
この時点で、電子制御ユニット１４は、食品がピックアップコンパートメント１０に送り込まれているか否かを確認する（ブロック２００）。
【００３８】
もし食品が送り込まれていない（ブロック２００のＮＯ出力）、すなわち、食品が依然として取出されつつあるならば、電子制御ユニット１４が、光エミッター１２、１３、１８を前と同じモードにしたままにする。
【００３９】
もし食品が送り込まれている（ブロック２００のＹＥＳ出力）、すなわち、食品が受渡されているならば、電子制御ユニット１４は、電気機械ユニット１５が釣銭があるか否かを確認する。
【００４０】
この段階で（ブロック２００）、電子制御ユニット１４が、食品が自動販売機１によって設計されたように受渡される場合と、機能不全及び/又は食品不足及び又は類似の要因により、食品の一部のみの受渡の場合の両方の食品の受渡しを確認することが指摘されるべきである。
【００４１】
この時点で、もし電気機械ユニット１５が釣銭があり（ブロック２１０）及び使用者による支払いが選択された食品の価格を超えるならば（ブロック２２０）、電子制御ユニット１４は、釣銭をポケット１６に供給するように命令し、第２及び第３光エミッター１３、１８を閃光モードに設定し（ブロック２３０）、使用者に食品をコンパートメント１０から及び釣銭をポケット１６からそれぞれ収集するように指示する。この段階で、電子制御ユニット１４は、第１光エミッター１２をオフのままにする。
【００４２】
この時点で、電子制御ユニット１４は、食品がコンパートメント１０から及び釣銭がポケット１６からそれぞれ収集されるまで、第２及び第３光エミッター１３、１８を閃光させ続ける（ブロック２４０）。いったん、食品がコンパートメント１０から収集されると、電子制御ユニット１４は、第２光エミッター１３をオフにする（ブロック１００）。
【００４３】
いったん釣銭がポケット１６から収集されると、電子制御ユニット１４は、第３光エミッター１８をオフにする（ブロック１００）。コンパートメント１０からの食品及び/又はポケット１６からの釣銭の収集は、コンパートメント１０及び/又はポケット１６の内部のセンサー（図示せず）によって電子制御ユニット１４によって確認されてもよい。
【００４４】
異なる実施形態では、電子制御ユニット１４は、食品及び釣銭がコンパートメント１０及びポケット１６に受渡されるときから予め決められた時間間隔の後に第２及び第３光エミッター１３、１８を、オフにしてもよい。
【００４５】
逆に、もし電気機械ユニット１５がブロック２１０で釣銭がないことがわかれば（ブロック２１０のＮＯ出力）及び/又は使用者による支払いが選択された食品の価格に等しければ（ブロック２２０のＮＯ出力）、電子制御ユニット１４は、第２光エミッター１３を閃光モードに設定して、使用者に食品をコンパートメント１０から収集するように指示し、同時に、第３光エミッター１８をオフにして、ポケット１６に関する使用者行動がないことを表示する。
【００４６】
いったん食品がコンパートメント１０から収集されると（ブロック２６０）、電子制御ユニット１４は、第２光エミッター１３をオフにし、且つブロック１００から開始する上記操作を繰り返す、すなわち自動販売機１の操作状態を確認する。
【００４７】
上述の自動販売機は、使用者の注意を、食品を選択し/獲得するために使用者によって行なわれるべき操作に集中させる主要な利点を有する。
【００４８】
しかしながら、ここに記述され且つ例示されるような自動販売機に、添付する特許請求の範囲に記載されるように本発明の範囲から逸脱することなく変更をしてもよいことは明らかである。
【図１】
2011521337.tif 000003
【図２ａ】
2011521337.tif 000004
【図２ｂ】
2011521337.tif 000005
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
取出すための食品を収容するケーシング（２）と、前記ケーシング（２）の壁（２a）に支払いインターフェイス（６）を有する支払いユニット（４）と、前記壁（２a）に形成された食品ピックアップコンパートメント（１０）を含む食品ディスペンサーユニット（５）と、前記ケーシング（２）の前記壁（２a）に配置され、且つ、多数の食品選択及び/又は事前選択ボタン（２０）を含む、食品選択使用者インターフェース（１９）と、を含む食品自動販売機（１）において、
前記自動販売機（１）は、使用者の注意を、前記食品を選択し/獲得するために行われるべき操作に視覚的に集中させるためのインタラクティブ光装置（１１）を含み、インタラクティブ光装置（１１）は：
ケーシング（２）の前記壁（２a）に、前記支払いインターフェース（６）及び前記食品ピックアップコンパートメント（１０）にそれぞれ隣接して配置された第１光エミッター（１２）及び第２光エミッター（１３）と、
前記選択及び/又は事前選択ボタン（２０）に隣接した補助光信号手段（２１）と、
第１光エミッター（１２）及び第２光エミッター（１３）及び前記補助光信号手段（２１）を、各々、前記支払いインターフェース（６）及び/又は前記食品ピックアップコンパートメント（１０）及び/又は前記選択及び/又は事前選択ボタン（２０）に関して、使用者によって行われるべき特定の操作を表示する少なくとも３つの異なる光信号モードで、選択的に制御するように構成された電子制御手段（１４）とを含み、
前記電子制御手段（１４）は、前記第１光エミッター（１２）及び/又は前記第２光エミッター（１３）及び/又は前記補助光信号手段（２１）の前記３つの光信号モードを、前記食品を選択し/獲得するために使用者によって行われるべき順序正しい連続の操作と関連した予め定められた手順で、選択的に命令するようにさらに構成されていることを特徴とする、食品自動販売機。
【請求項２】
釣銭を使用者に出し、且つ前記ケーシング（２）の前記壁（２a）に形成された外側釣銭収集ポケット（１６）と、前記外側釣銭収集ポケット（１６）に隣接して前記壁（２a）に配置された第３光エミッター（１８）と、を含む釣銭ディスペンサーユニット（１５）を含み、前記電子制御手段（１４）は、前記第３光エミッター（１８）を、各々前記外側釣銭収集ポケット（１６）に関して使用者によって行われるべき特定の操作を表示する前記３つの光信号モードで選択的に制御する、請求項１に記載の前記食品自動販売機。
【請求項３】
前記電子制御手段（１４）は、前記第１光エミッター（１２）及び/又は前記第２光エミッター（１３）及び/又は前記第３光エミッター（１８）及び/又は前記補助光信号手段（２１）の３つの異なる光信号モードを、前記食品を選択し/獲得するために使用者によって行われるべき順序正しい連続の操作と関連した予め定められた手順で、選択的に命令するように構成される、請求項２に記載の前記食品自動販売機。
【請求項４】
前記第１光エミッター（１２）及び/又は前記第２光エミッター（１３）及び/又は前記第３光エミッター（１８）及び/又は前記補助光信号手段（２１）は各々少なくとも１つの発光ダイオードからなる、請求項２又は３に記載の前記食品自動販売機。
【請求項５】
前記３つの光信号モードは、前記使用者によって行われるべき特定の行動がないことに対応する第１モードと、前記自動販売機（１）によって行われる特定の行動に対応する第２モードと、警告状態に対応する第３モードとを含む、請求項１乃至４のいずれか１項に記載の前記食品自動販売機。
【請求項６】
前記第３光信号モードは、光信号の閃光モードである、請求項５に記載の前記食品自動販売機。
【請求項７】
取出すための食品を収容するケーシング（２）と、前記ケーシング（２）の壁（２a）に支払いインターフェース（６）を有する支払いユニット（４）と、前記壁（２a）に形成された食品ピックアップコンパートメント（１０）を有する食品ディスペンサーユニット（５）と、前記ケーシング（２）の前記壁（２a）に配置され、且つ、多数の食品選択及び/又は事前選択ボタン（２０）を含む、食品選択使用者インターフェース（１９）と、を含み、
ケーシング（２）の前記壁（２a）に、前記支払いインターフェース（６）及び前記食品ピックアップコンパートメント（１０）にそれぞれ隣接して配置された第１光エミッター（１２）及び第２光エミッター（１３）と、前記選択及び/又は事前選択ボタン（２０）に隣接した補助光信号手段（２１）とを含む、インタラクティブ光装置（１１）を含む、食品自動販売機（１）を操作する方法において、
前記方法は、前記第１光エミッター（１２）及び/又は前記第２光エミッター（１３）及び/又は前記補助光信号手段（２１）を、各々、前記支払いインターフェース（６）及び/又は前記食品ピックアップコンパートメント（１０）、及び/又は前記選択及び/又は事前選択ボタン（２０）に関して使用者によって行われるべき特定の操作を表示する少なくとも３つの異なった光信号モードで選択的に制御するステップとを含み、
前記第１光エミッター（１２）及び/又は前記第２光エミッター（１３）及び前記補助光信号手段（２１）の光信号モードが、前記食品を選択し/獲得するために使用者によって行われるべき順序正しい連続の操作と関連した予め定められた手順で命令されることを特徴とする、前記方法。
【請求項８】
前記ケーシング（２）の前記壁（２a）に形成された外側釣銭収集ポケット（１６）と、前記壁（２a）に、前記外側釣銭収集ポケット（１６）に隣接して配置された第３光エミッター（１８）と、を含む釣銭ディスペンサーユニット（１５）を含み、前記方法は、前記第３光エミッター（１８）を、各々、前記外側釣銭収集ポケット（１６）に関して使用者によって行われるべき特定の操作を表示する３つの光信号モードで選択的に制御するステップを含む、請求項７に記載の方法。
【請求項９】
前記第１光エミッター（１２）及び/又は前記第２光エミッター（１３）及び/又は前記第３光エミッター（１８）及び/又は前記補助光信号手段（２１）の光信号モードを、前記食品を選択し/獲得するために使用者によって行われるべき順序正しい連続の操作と関連した予め定められた手順で選択的に命令するステップを含む、請求項８に記載の前記方法。
【請求項１０】
前記３つの光信号モードは、前記使用者によって行われるべき特定の行動がないことに対応する第１モードと、前記自動販売機（１）によって行われる特定の行動に対応する第２モードと、警告状態に対応する第３モードとを含む、請求項７乃至９のいずれか１項に記載の前記方法。
【請求項１１】
前記第３光信号モードは、光信号の閃光モードに対応する、請求項１０に記載の前記方法。
【請求項１２】
食品自動販売機（１）の電子制御手段（１４）のメモリにロード可能であり、実行されるとき、請求項７乃至１１のいずれか１項に記載の前記方法を実行するように設計された、ソフトウェア製品。
【国際調査報告】
2011521337.tif 000006
2011521337.tif 000007
2011521337.tif 000008